(57)【要約】【課題】撮像素子に対して防塵部材をあまり大きくすることなく、防塵部材に生じる振動の節の近傍において防塵部材を支持する。【解決手段】撮像素子４へのゴミの付着を防止する防塵部材３１と、防塵部材３１に振動を生じさせる振動発生手段３２と、防塵部材３１を支持する支持部材３４とを備え、防塵部材３１には、振動発生手段３２により防塵部材３１に発生する振動の節の位置３１ａ、３１ｂを防塵部材３１の外縁部の方向に移動させるための錘３３が設けられている。【選択図】図４
2008206013.tif 000002
【特許請求の範囲】
【請求項１】
撮像素子へのゴミの付着を防止する防塵部材と、
前記防塵部材に振動を生じさせる振動発生手段と、
前記防塵部材を支持する支持部材とを備え、
前記防塵部材には、前記振動発生手段によって前記防塵部材に生じる振動の節の位置を前記防塵部材の外縁部の方向に移動させるための錘が設けられていることを特徴とするゴミ除去装置。
【請求項２】
請求項１に記載のゴミ除去装置において、
前記錘は、前記支持部材が前記防塵部材を支持している支持位置よりも外側に設けられていることを特徴とするゴミ除去装置。
【請求項３】
請求項１または２に記載のゴミ除去装置において、
前記支持部材が前記防塵部材を支持している支持位置は、前記防塵部材に生じる振動の節のうち、前記防塵部材の外縁部に最も近い節の位置と略一致することを特徴とするゴミ除去装置。
【請求項４】
請求項１〜３いずれか一項に記載のゴミ除去装置において、
前記防塵部材は、前記振動発生手段により、所定次数の振動モードで屈曲振動することを特徴とするゴミ除去装置。
【請求項５】
請求項４に記載のゴミ除去装置において、
前記防塵部材は略方形の形状を有し、前記振動発生手段により、前記防塵部材において対向するいずれか二つの外縁部に平行な複数の節を有する屈曲振動を行うことを特徴とするゴミ除去装置。
【請求項６】
請求項４に記載のゴミ除去装置において、
前記防塵部材は略円形の形状を有し、前記振動発生手段により、同心円状の屈曲振動を行うことを特徴とするゴミ除去装置。
【請求項７】
請求項１〜６いずれか一項に記載のゴミ除去装置において、
前記防塵部材および前記支持部材を用いて、前記撮像素子を略密閉する空間を形成することを特徴とするゴミ除去装置。
【請求項８】
入射光束に基づいて被写体の撮像信号を出力する撮像素子と、
前記撮像素子へのゴミの付着を防止する防塵部材と、
前記防塵部材に振動を生じさせる振動発生手段と、
前記防塵部材を支持する支持部材とを備え、
前記防塵部材には、前記振動発生手段によって前記防塵部材に生じる振動の節の位置を前記防塵部材の外縁部の方向に移動させるための錘が設けられていることを特徴とする撮像装置。
【請求項９】
請求項８に記載の撮像装置と、
前記撮像信号に基づいて前記被写体の撮像画像を記録媒体に記録する記録制御手段とを備えることを特徴とするカメラ。
【発明の詳細な説明】
【技術分野】
【０００１】
本発明は、撮像装置に設けられた撮像素子の防塵に関する。
【背景技術】
【０００２】
従来、レンズ交換可能な一眼レフレックス方式のデジタルカメラにおいて、撮像素子と撮影光学系の間に防塵部材を配設することにより、撮像素子にゴミやほこりが付着するのを防ぐと共に、防塵部材を振動させて防塵部材に付着したゴミやほこりを除去するものが知られている（特許文献１参照）。
【０００３】
【特許文献１】特開２００４−６４５５５号公報
【発明の開示】
【発明が解決しようとする課題】
【０００４】
特許文献１に開示されるカメラでは、防塵部材に生じる振動を阻害しないようにするため、振動の節の近傍において防塵部材を支持している。しかし、防塵部材に振動が生じたときの振動の節の位置は、必ずしも防塵部材の外縁部付近とはならない。したがって、撮像素子の撮像範囲と防塵部材の支持位置とが重ならないようにするため、撮像素子の大きさに対して防塵部材を十分に大きくしなければならず、カメラの大型化を招くおそれがある。
本発明は、防塵部材を大きくしなくとも、防塵部材に生じる振動の節の近傍で防塵部材を支持することができるゴミ除去装置、撮像装置、カメラを提供することを目的とする。
【課題を解決するための手段】
【０００５】
請求項１の発明によるゴミ除去装置は、撮像素子へのゴミの付着を防止する防塵部材と、防塵部材に振動を生じさせる振動発生手段と、防塵部材を支持する支持部材とを備えるものである。このゴミ除去装置において、防塵部材には、振動発生手段によって防塵部材に生じる振動の節の位置を防塵部材の外縁部の方向に移動させるための錘が設けられている。
請求項２の発明は、請求項１に記載のゴミ除去装置において、錘は、支持部材が防塵部材を支持している支持位置よりも外側に設けられているものである。
請求項３の発明は、請求項１または２に記載のゴミ除去装置において、支持部材が防塵部材を支持している支持位置は、防塵部材に生じる振動の節のうち、防塵部材の外縁部に最も近い節の位置と略一致するものである。
請求項４の発明は、請求項１〜３いずれか一項に記載のゴミ除去装置において、防塵部材は、振動発生手段により、所定次数の振動モードで屈曲振動するものである。
請求項５の発明は、請求項４に記載のゴミ除去装置において、防塵部材は略方形の形状を有し、振動発生手段により、防塵部材において対向するいずれか二つの外縁部に平行な複数の節を有する屈曲振動を行うものである。
請求項６の発明は、請求項４に記載のゴミ除去装置において、防塵部材は略円形の形状を有し、振動発生手段により、同心円状の屈曲振動を行うものである。
請求項７の発明は、請求項１〜６いずれか一項に記載のゴミ除去装置において、防塵部材および支持部材を用いて、撮像素子を略密閉する空間を形成するものである。
請求項８の発明による撮像装置は、入射光束に基づいて被写体の撮像信号を出力する撮像素子と、撮像素子へのゴミの付着を防止する防塵部材と、防塵部材に振動を生じさせる振動発生手段と、防塵部材を支持する支持部材とを備えるものである。この撮像装置において、防塵部材には、振動発生手段によって防塵部材に生じる振動の節の位置を防塵部材の外縁部の方向に移動させるための錘が設けられている。
請求項９の発明によるカメラは、請求項８に記載の撮像装置と、撮像信号に基づいて被写体の撮像画像を記録媒体に記録する記録制御手段とを備えるものである。
【発明の効果】
【０００６】
本発明によれば、撮像素子に対して防塵部材をあまり大きくすることなく、防塵部材に生じる振動の節の近傍において防塵部材を支持することができる。
【発明を実施するための最良の形態】
【０００７】
図１は、本発明の一実施形態によるデジタルカメラの構成を示すブロック図である。このデジタルカメラは、カメラ本体１００と、カメラ本体１００に取り付けられた撮影レンズ２００とによって構成されている。カメラ本体１００は、ＣＰＵ１、撮像装置２、測光装置５、シーケンス装置６、フラッシュ装置７、電源部８、ファインダ内表示装置９、表示装置１０、コントローラ１１、メモリカード１２、画像処理部１３、ＲＡＭ１４、ＲＯＭ１５および操作部材１６を有している。
【０００８】
ＣＰＵ１は、他の各構成部分と連動して、以降に説明するような様々な処理や制御を実行する。このＣＰＵ１がカメラ本体１００の動作状態に応じて適切な処理や制御を行うことにより、カメラ本体１００において様々な機能および動作が実現される。
【０００９】
撮像装置２は、ゴミ除去装置３および撮像素子であるＣＣＤ４を備えている。ＣＣＤ４は、撮影レンズ２００から入射された光束により結像される被写体像に基づいて、撮像信号を出力する。この撮像信号は、画像データに変換された後、ＣＰＵ１を介して画像処理部１３へ出力される。ゴミ除去装置３は、ＣＣＤ４にゴミや埃等が付着するのを防止するため、撮影レンズ２００とＣＣＤ４との間に、ＣＣＤ４を略密閉するような構造により配設されている。なお、ゴミ除去装置３に付着したゴミや埃は、ゴミ除去装置３において後で説明するようにして発生する振動により除去される。
【００１０】
測光装置５は、撮影レンズ２００からの入射光量を測定し、その測定結果に基づいて撮影時の適正露出を求める。測光装置５により求められた適正露出はＣＰＵ１へ出力され、シーケンス装置６の制御などに用いられる。シーケンス装置６は、ＣＰＵ１の制御に応じて、クイックリターンミラーの動作やシャッターの動作など、撮影時の一連の機構動作を制御する。フラッシュ装置７は、カメラ本体１００に内蔵されているフラッシュ装置であり、ＣＰＵ１によってその動作が制御される。
【００１１】
電源部８は、カメラ本体１００の各部分や撮影レンズ２００に対して必要な電気エネルギーを適宜供給する。ファインダ内表示装置９は、カメラ本体１００のファインダ内に設けられており、カメラ本体１００の動作状態に応じて様々な情報の表示を行う。たとえば、シャッタースピード、絞り値、オートフォーカスエリアなどの情報がファインダ内表示装置９に表示される。これにより、撮影時に必要な情報をユーザに知らせることができる。
【００１２】
表示装置１０は、ＣＰＵ１の制御により様々な画像を表示する。たとえば、カメラ本体１００において撮影された撮影画像や、カメラ本体１００に対して各種の設定を行うための様々な設定メニュー項目を含む設定メニュー画面などが表示される。この表示装置１０には、たとえば液晶ディスプレイなどが用いられており、カメラ本体１００においてユーザが見やすいような位置に設置されている。
【００１３】
コントローラ１１は、ＣＰＵ１の制御により、記録媒体であるメモリカード１２に撮影画像データを記録するときの書き込み処理や、メモリカード１２に記録されている撮影画像データを読み出すときの読み出し処理を実行する。メモリカード１２はカメラ本体１００に対して着脱可能な汎用の外部記録メディアであり、カメラ本体１００による撮影画像データがコントローラ１１の書き込み処理によって記録される。
【００１４】
画像処理部１３は、ＣＣＤ４から出力された撮像画像データに対して所定の画像処理を行う。たとえば、撮影画像の見た目を調節するための処理や、画像データの形式を変換するための処理などが、画像処理部１３において行われる。画像処理部１３により画像処理が行われた画像データは、コントローラ１１によってメモリカード１２に記録される。
【００１５】
ＲＡＭ１４は、ＣＰＵ１が各種の処理や制御を実行する際の作業領域として用いられる。このＲＡＭ１４には、表示装置１０において画像を表示する際に用いられるＶＲＡＭも含まれている。ＲＯＭ１５は、ＣＰＵ１が各種の処理や制御を実行する際に用いられるプログラムやデータ類が記録されている。操作部材１６は、各種の操作用スイッチ類によって構成されている。操作部材１６を用いてユーザから入力された操作内容に応じて、各種の処理や制御がＣＰＵ１において実行される。
【００１６】
次に、ゴミ除去装置３の詳細について、図面を参照して説明する。図２は、ゴミ除去装置３を構成する防塵部材３１、振動部材３２および錘３３の平面図および断面図である。図２において、（ａ）の平面図には、カメラ本体１００において撮影レンズ２００の方向から見たときの防塵部材３１、振動部材３２および錘３３の平面形状を示している。一方、（ｂ）の断面図には、（ａ）の平面図において中心線Ａ−Ａで切断したときの防塵部材３１、振動部材３２および錘３３の断面を示している。この図に示すように、防塵部材３１は略方形の形状を有している。また、上下一対の振動部材３２と、左右一対の錘３３とは、防塵部材３１の表側の面（すなわち、ＣＣＤ４がある側と反対側の面）にそれぞれ貼り付けられている。
【００１７】
防塵部材３１は、図１のＣＣＤ４にゴミや埃等が付着するのを防止するために用いられるものであり、ＣＣＤ４を覆うように配設されている。この防塵部材３１は、撮影レンズ２００を介してＣＣＤ４上に入射する被写体光の光路上に設けられており、ガラス等の透明な素材によって組成されている。
【００１８】
振動部材３２は、圧電効果を生じる圧電セラミクスなどを用いた圧電素子によって組成されている。この圧電セラミクスの材料には、たとえばＰＺＴ（チタン酸ジルコン酸鉛）などが知られている。振動部材３２に電気信号が印加されると、振動部材３２は、その電気信号に応じて、撮影レンズ２００の光軸と垂直な方向（すなわち、ＣＣＤ４の撮像面と垂直な方向）、すなわち図２（ａ）において紙面と平行な半径方向に、周期的に伸縮運動を繰り返す。
【００１９】
振動部材３２が撮影レンズ２００の光軸と垂直な方向に伸びると、その動きに応じて、防塵部材３１の表側、すなわち振動部材３２が貼り付けられている側の面において、同じ方向に伸びようとする力が生じる。すると、防塵部材３１が表側の方向に膨らむように変形する。図２（ｂ）の断面図は、そのときの様子を示している。一方、振動部材３２が光軸と垂直な方向に縮むと、その動きに応じて、防塵部材３１の表側において、同じ方向に縮もうとする力が生じる。すると、図２（ｂ）の断面図に示すのとは逆に、防塵部材３１が裏側の方向に膨らむように変形する。
【００２０】
防塵部材３１において、上記のような屈曲動作が振動部材３２の伸縮運動に応じて周期的に繰り返される。その結果、防塵部材３１において屈曲振動が生じる。この屈曲振動により、防塵部材３１に付着したゴミや埃を除去することができる。
【００２１】
図２の符号３１ａ、３１ｂに示す破線は、防塵部材３１において以上説明したようにして生じる屈曲振動の節の位置を示している。節３１ａと節３１ｂとは、防塵部材３１において左右に対向する二つの外縁部に平行となっている。防塵部材３１は、振動部材３２により、これらの節３１ａ、３１ｂを有する屈曲運動を行う。
【００２２】
なお、カメラ本体１００においてＣＣＤ４を覆うように防塵部材３１を取り付ける際には、振動部材３１において生じる上記のような屈曲振動を阻害しないように、節３１ａ、３１ｂの近傍で防塵部材３１を支持する必要がある。したがって、ＣＣＤ４を設置可能な範囲は、支持点の内側、すなわち節３１ａ、３１ｂの内側にある、図２（ａ）の斜線部分の領域に示す範囲となる。
【００２３】
錘３３は、振動部材３２によって防塵部材３１に生じる振動の節の位置を、防塵部材３１の外縁部の方向に移動させるために、防塵部材３１に設けられている。錘３３の材質には、たとえば、防塵部材３１に用いられるガラスよりも比重の重い金属などを用いることができる。あるいは、錘３３と防塵部材３１を同一の材質とすることにより、これらを一体化してもよい。
【００２４】
防塵部材３１に錘３３を設けた場合と設けていない場合とでは、防塵部材３１において生じる振動の節の位置が次のように変化する。図３は、錘３３を設けていない場合に防塵部材３１が屈曲振動する様子を示している。図３において、（ａ）の平面図には、カメラ本体１００において撮影レンズ２００の方向から見たときの防塵部材３１および振動部材３２の平面形状を示している。一方、（ｂ）の断面図には、（ａ）の平面図において中心線Ｂ−Ｂで切断したときの防塵部材３１および振動部材３２の断面を示している。この図３では、図２と比べて、振動の節３１ａおよび３１ｂが防塵部材３１においてより内側に位置している。そのため、ＣＣＤ４を設置可能な斜線部分に示す領域は、図２と比べて狭くなっていることが分かる。
【００２５】
以上説明したように、防塵部材３１に錘３３を設けていない場合は、防塵部材３１に錘３３を設けている場合と比べて、防塵部材３１において生じる振動の節の位置がより内側に位置する。すなわち、防塵部材３１に錘３３を設けることにより、錘３３を設けていない場合と比べて、防塵部材３１において生じる振動の節の位置を、より外側すなわち防塵部材３１の外縁部の方向に移動させることができる。その結果、ＣＣＤ４を設置可能な領域を拡げることができる。
【００２６】
図４は、以上説明した防塵部材３１、振動部材３２および錘３３を有するゴミ除去装置３とＣＣＤ４とが設置された撮像装置２の平面図および断面図を示している。図４において、（ａ）の平面図には、カメラ本体１００において撮影レンズ２００の方向から見たときの撮像装置２の平面形状を示している。（ｂ）の断面図には、（ａ）の平面図において中心線Ｃ−Ｃで切断したときの撮像装置２の断面を示している。
【００２７】
ゴミ除去装置３は、防塵部材３１、振動部材３２および錘３３に加えて、さらに支持部材３４および封止部材３５を有している。支持部材３４は、一定幅の矩形状の形状を有しており、防塵部材３１の外縁部に沿って、ＣＣＤ４が配設された基板４１上に配設されている。この支持部材３４により、防塵部材３１が支持されている。
【００２８】
封止部材３５は、防塵部材３１と支持部材３４との間を封止することにより、防塵部材３１を支持部材３４上に固定している。このような支持構造および封止構造とすることで、防塵部材３１と支持部材３４を用いて、基板４１とゴミ除去装置３との間にＣＣＤ４を略密閉する空間が形成されている。
【００２９】
図４に示すように、支持部材３４が防塵部材３１を支持している支持位置は、節３１ａ、３１ｂの位置と略一致している。これにより、防塵部材３１において生じる屈曲振動を阻害しないように、支持部材３４により防塵部材３１を支持することができる。なお、防塵部材３１が高次の振動モードで振動している場合は、図４に示したよりも数多くの振動の節が発生することがある。その場合には、それらの振動の節のうち、防塵部材３１の外縁部に最も近い節の位置と略一致するように、支持部材３４により防塵部材３１を支持することが好ましい。このようにすれば、同じように、振動部材３１において生じる屈曲振動を阻害することなく、支持部材３４により防塵部材３１を支持することができる。
【００３０】
錘３３は、支持部材３４が防塵部材３１を支持している支持位置よりも外側の防塵部材３１の部分に設けられている。すなわち、錘３３は、ＣＣＤ４の撮像面よりも外側に位置している。したがって、撮影レンズ２００からの入射光束は、錘３３によって遮られずに、透明な防塵部材３１を透過してＣＣＤ４に到達する。これにより、被写体像が欠けることなくＣＣＤ４上に結像され、その撮像信号がＣＣＤ４から出力される。さらに、錘３３をこのように配置することで、防塵部材３１に生じる振動の節の位置を、効率的に防塵部材３１の外縁部の方向に移動させることができる。
【００３１】
ところで、防塵部材３１、振動部材３２および錘３３を一体化された振動体と見なして考えると、この振動体は、その材質や形状等に応じた固有の共振周波数を有している。たとえば防塵部材３１の材質をガラスとし、その大きさを、横幅（長手方向）40mm、縦幅（短手方向）28mm、厚さ0.4mmとする。また、振動部材３２の材質をＰＺＴとし、その大きさを、横幅（長手方向）10mm、縦幅（短手方向）3mm、厚さ0.5mmとする。また、錘３３の材質を鉄とし、その形状を、幅4mm、厚さ0.5mmとする。このときの共振周波数を算出したところ、約1kHzとの結果が得られた。さらに、このときの節３１ａおよび３１ｂの位置を算出したところ、防塵部材３１に錘３３を設けた場合は、防塵部材３１の左右の端からそれぞれ約6mmに位置し、防塵部材３１に錘３３を設けない場合は、防塵部材３１の左右の端からそれぞれ約12mmに位置するとの結果が得られた。
【００３２】
上記のような共振周波数と同じ周波数の交流電気信号を振動部材３２に印加すると、振動体が共振状態で屈曲振動するため、その振幅が最大となる。したがって、防塵部材３１に付着したゴミや埃を振動により取り除く際には、その効果が最大となるように、共振周波数と同じ周波数の交流電気信号を振動部材３２に印加することが好ましい。なお、製造時の寸法や質量等のばらつき、取付け誤差などにより、振動体の正確な共振周波数が不明な場合もあるため、振動部材３２に印加する交流電気信号を所定の範囲内で変化させてもよい。
【００３３】
なお、以上説明した実施の形態では、防塵部材３１が略方形の形状を有していたが、防塵部材３１を他の形状としてもよい。その一例を図５により説明する。図５は、略円形の円盤状の形状を有する防塵部材３１と、その防塵部材３１の形状に合わせたリング状の形状を有する振動部材３２および錘３３との平面図および断面図である。この図５において、（ａ）の平面図には、カメラ本体１００において撮影レンズ２００の方向から見たときの防塵部材３１、振動部材３２および錘３３の平面形状を示している。一方、（ｂ）および（ｃ）の断面図には、（ａ）の平面図において中心線Ｄ−Ｄで切断したときの防塵部材３１、振動部材３２および錘３３の断面をそれぞれ示している。なお、（ｂ）の断面図には、防塵部材３１が振動していないときの断面が示されている。また、（ｃ）の断面図には、振動部材３２によって防塵部材３１に振動が生じており、防塵部材３１が表側の方向に膨らむように変形したときの断面が示されている。
【００３４】
図５において、振動部材３２は防塵部材３１の裏側に貼り付けられており、錘３３は防塵部材３１の表側に貼り付けられている。振動部材３２に電気信号が印加されると、振動部材３２は、その電気信号に応じて、図２の場合と同様に、光軸と垂直な方向に周期的に伸縮運動を繰り返す。この伸縮運動により防塵部材３１が変形し、同心円状の屈曲振動を行う。このとき、防塵部材３１には円形状の振動の節が生じる。
【００３５】
防塵部材３１に生じる円形状の振動の節は、図５（ｃ）の断面図において、符号３１ａおよび３１ｂに示すような位置となる。この振動の節の位置は、防塵部材３１に錘３３を設けた場合と設けていない場合とで、次のように変化する。図６は、錘３３を設けていない場合に防塵部材３１が屈曲振動したときの防塵部材３１、振動部材３２および錘３３の平面図および断面図である。この図６も、図５と同様に、（ａ）の平面図には、カメラ本体１００において撮影レンズ２００の方向から見たときの防塵部材３１、振動部材３２および錘３３の平面形状を示している。一方、（ｂ）および（ｃ）の断面図には、（ａ）の平面図において中心線Ｅ−Ｅで切断したときの防塵部材３１、振動部材３２および錘３３の断面をそれぞれ示している。なお、（ｂ）の断面図には、防塵部材３１が振動していないときの断面が示されている。また、（ｃ）の断面図には、振動部材３２によって防塵部材３１に振動が生じており、防塵部材３１が表側の方向に膨らむように変形したときの断面が示されている。
【００３６】
防塵部材３１に錘３３を設けた場合の振動の節の直径をＲ１とすると、この直径Ｒ１は図５（ｃ）の断面図において、振動の節３１ａ−３１ｂ間の距離として表される。同様に、防塵部材３１に錘３３を設けていない場合の振動の節の直径をＲ２とすると、この直径Ｒ２は図６（ｃ）の断面図において、振動の節３１ａ−３１ｂ間の距離として表される。これらの断面図から、防塵部材３１に錘３３を設けた場合の振動の節の直径Ｒ１は、錘３３を設けていない場合の直径Ｒ２と比べて大きくなっていることが分かる。
【００３７】
以上説明したように、防塵部材３１に錘３３を設けることにより、錘３３を設けていない場合と比べて、防塵部材３１において生じる円形状の振動の節の直径を大きくすることができる。したがって、振動の節の位置をより外側、すなわち防塵部材３１の外縁部の方向に移動させることができる。その結果、図２の場合と同様に、ＣＣＤ４を設置可能な領域を拡げることができる。
【００３８】
以上説明した実施の形態によれば、次の作用効果を奏する。
（１）防塵部材３１には、振動部材３２によって防塵部材３１に生じる振動の節の位置を防塵部材３１の外縁部の方向に移動させるための錘３３が設けられていることとした。このようにしたので、ＣＣＤ４に対して防塵部材３１をあまり大きくすることなく、防塵部材３１に生じる振動の節の近傍において防塵部材３１を支持することができる。
【００３９】
（２）錘３３は、支持部材３４が防塵部材３１を支持している支持位置よりも外側の防塵部材３１に設けられていることとした。このようにしたので、錘３３によって入射光束が遮られることを防止し、被写体像を欠けることなくＣＣＤ４上に結像することができる。さらに、防塵部材３１に生じる振動の節の位置を、効率的に防塵部材３１の外縁部の方向に移動させることができる。
【００４０】
（３）支持部材３４が防塵部材３１を支持している支持位置は、防塵部材３１に生じる振動の節のうち、防塵部材３１の外縁部に最も近い節の位置と略一致することとした。このようにしたので、防塵部材３１において生じる屈曲振動を阻害しないように、支持部材３４により防塵部材３１を支持することができる。
【００４１】
（４）防塵部材３１は略方形の形状を有し、振動部材３２により、防塵部材３１において対向するいずれか二つの外縁部に平行な複数の節を有する屈曲振動を行うこととした。あるいは、防塵部材３１は略円形の形状を有し、振動部材３２により、同心円状の屈曲振動を行うこととした。このようにしたので、ＣＣＤ４の形状に合わせて防塵部材３１の形状を決定することができる。さらに、防塵部材３１の形状に合わせて、防塵部材３１を効率よく振動させることができる。
【００４２】
（５）防塵部材３１および支持部材３４を用いて、ＣＣＤ４を略密閉する空間を形成することとした。このようにしたので、カメラ本体１００から撮影レンズ２００を取り外したときなどに、ＣＣＤ４にゴミや埃が付着するのを防ぐことができる。
【００４３】
なお、上記において説明した実施の形態では、防塵部材３１に生じる振動が一次モードの屈曲振動である例を説明したが、本発明はこの内容に限定されない。すなわち、任意の次数の振動モードにより防塵部材３１を屈曲振動させることができる。
【００４４】
以上説明した実施の形態では、撮像素子を有するデジタルカメラを例に説明したが、デジタルビデオカメラについても同様に、本発明を適用することができる。
【００４５】
以上説明した実施の形態や各種の変形例はあくまで一例であり、発明の特徴が損なわれない限り、本発明はこれらの内容に限定されない。
【図面の簡単な説明】
【００４６】
【図１】本発明の一実施形態によるデジタルカメラの構成を示すブロック図である。
【図２】略方形の形状を有する防塵部材、振動部材および錘の平面図および断面図である。
【図３】錘が設けられていない略方形の形状を有する防塵部材と振動部材の平面図および断面図である。
【図４】ゴミ除去装置とＣＣＤとが設置された撮像装置の平面図および断面図である。
【図５】略円形の形状を有する防塵部材、振動部材および錘の平面図および断面図である。
【図６】錘が設けられていない略円形の形状を有する防塵部材と振動部材の平面図および断面図である。
【符号の説明】
【００４７】
１：ＣＰＵ                          ２：撮像装置
３：ゴミ除去装置                    ４：ＣＣＤ
５：測光装置                        ６：シーケンス装置
７：フラッシュ装置                  ８：電源部
９：ファインダ内表示装置          １０：表示装置
１１：コントローラ                  １２：メモリカード
１３：画像処理部                    １４：ＲＡＭ
１５：ＲＯＭ                        １６：操作部材
１００：カメラ本体                  ２００：撮影レンズ
【図１】
2008206013.tif 000003
【図２】
2008206013.tif 000004
【図３】
2008206013.tif 000005
【図４】
2008206013.tif 000006
【図５】
2008206013.tif 000007
【図６】
2008206013.tif 000008